(57)【要約】【課題】  貯留部に投入される作物の量や大小に合わせて、整列搬送装置から貯留部に戻される作物の量を変更可能に構成し、作物選別装置の処理効率を向上させる。【解決手段】  貯留部Ａから整列搬送部Ｃを通って整列された作物を選別搬送部Ｅに送って等級毎に選別する作物選別装置で、第１整列搬送コンベア３７に続けて設ける第２整列搬送コンベア４８上で一列に整列しない作物を搬送外へ取り出す選外取出口２６を設け、該選外取出口２６から取出した作物をフィードバック手段５４で貯留部Ａに戻すようにした整列搬送部Ｃにおいて、選外取出口２６の開口度を変更調整可能にしたことを特徴とする作物選別装置とした。【選択図】図１
2013049026.tif 000002
【特許請求の範囲】
【請求項１】
貯留部（Ａ）から整列搬送部（Ｃ）を通って整列された作物を選別搬送部（Ｅ）に送って等級毎に選別する作物選別装置で、第１整列搬送コンベア（３７）に続けて設ける第２整列搬送コンベア（４８）上で一列に整列しない作物を搬送外へ取り出す選外取出口（２６）を設け、該選外取出口（２６）から取出した作物をフィードバック手段（５４）で貯留部（Ａ）に戻すようにした整列搬送部（Ｃ）において、
前記選外取出口（２６）の開口度を変更調整自在に構成したことを特徴とする作物選別装置。
【請求項２】
開度調整シャッタ（１１５）を整列搬送フレーム（２３）の側部から搬送方向に沿ってスライド可能に構成し、前記選外取出口（２６）の開口度を調整可能に構成したことを特徴とする請求項１に記載の作物選別装置。
【請求項３】
前記第２整列搬送コンベア（４８）を左右に並列した内側整列搬送ベルト（４６ｉ）と外側整列搬送ベルト（４６ｏ）で構成すると共に、該内外の整列搬送ベルト（４６ｉ，４６ｏ）の下部にそれぞれ内側選外取出口（２６ｉ）と外側選外取出口（２６ｏ）を形成し、外側選外取出口（２６ｏ）に設ける開度調整シャッタ（１１５）の閉じ操作に伴って前記内側整列搬送ベルト（４６ｉ）と外側整列搬送ベルト（４６ｏ）の上面高さが外側整列搬送ベルト（４６ｏ）の方が低くなるように開度調整シャッタ（１１５）の開閉操作と左右の整列搬送ベルト（４６ｉ，４６ｏ）の上面高さを連動して構成したことを特徴とする請求項１または２に記載の作物選別装置。
【請求項４】
前記内外整列搬送ベルト（４６ｉ，４６ｏ）の上方周回部を受けるベルトガイド（１１７）を搬送方向に設ける支軸（１１８）に枢支すると共に、前記外側整列搬送ベルト（４６ｏ）側のベルトガイド（１１７）底面を圧縮バネ（１１９）で内外整列搬送ベルト（４６ｉ，４６ｏ）の上面が水平になるよう支持し、開度調整シャッタ（１１５）を閉じる際に該開度調整シャッタ（１１５）の下端縁（１１５ａ）でベルトガイド（１１７）の圧縮バネ（１１９）支持側上面を押し下げてベルトガイド（１１７）を傾けて、内側整列搬送ベルト（４６ｉ）の上面が外側整列搬送ベルト（４６ｏ）の上面より高くなるように構成したことを特徴とする請求項３に記載の作物選別装置。
【請求項５】
前記開度調整シャッタ（１１５）のベルトガイド（１１７）上面に接する下端縁（１１５ａ）を搬送方向下手側の水平端に向かって下方へ傾斜させ、開度調整シャッタ（１１５）の閉じ操作でベルトガイド（１１７）を徐々に押し下げて傾ける構成としたことを特徴とする請求項４に記載の作物選別装置。
【請求項６】
前記第１整列搬送コンベア（３７）を挟んでＶ字状に配置して搬送方向へ駆動する左右のサイド搬送コンベア（１２０Ｒ，１２０Ｌ）を設けて整列搬送部（Ｃ）を構成したことを特徴とする請求項１から請求項５の何れか１項に記載の作物選別装置。
【請求項７】
前記左右のサイド搬送コンベア（１２０Ｒ，１２０Ｌ）の搬送速度を第１整列搬送コンベア（３７）の搬送速度と同じ、あるいは遅く設定して整列搬送部（Ｃ）を構成したことを特徴とする請求項６に記載の作物選別装置。
【請求項８】
前記左右のサイド搬送コンベア（１２０Ｒ，１２０Ｌ）の終端に第１整列搬送コンベア（３７）に向かって第１整列搬送コンベア（３７）よりも速い搬送速度に設定した左右の中央送りコンベア（１２１Ｒ，１２１Ｌ）を設けて整列搬送部（Ｃ）を構成したことを特徴とする請求項６または請求項７に記載の作物選別装置。
【発明の詳細な説明】
【技術分野】
【０００１】
本発明は、作物を等級別に選別する作物選別装置に関するものである。
【背景技術】
【０００２】
従来の作物選別装置としては、貯留部に投入された作物を上方搬送装置で整列搬送装置に送り、該整列搬送装置で作物の姿勢を整えて作物１個ずつ選別搬送装置に送り、選別搬送装置で作物を等級別に選別する技術が存在する。（特許文献１，２）
【先行技術文献】
【特許文献】
【０００３】
【特許文献１】特開２００８−１８３５３９号公報
【特許文献２】特開２０１０−００５６０３号公報
【発明の概要】
【発明が解決しようとする課題】
【０００４】
前記従来の作物選別装置は、整列搬送装置の整列搬送コンベアに不安定な姿勢のまま載った人参や複数個同時に載った人参を落下させる落下開口部を形成し、該落下開口部から落下する人参を貯留部に戻すフィードバックシュータを設けているが、落下開口部から落下する作物の量を調節する手段が無く、整列搬送装置で送る作物の量が少ない場合にも一定割合の作物がフィードバックシュータを通って貯留部に戻されるために選別搬送装置へ送る量を多く出来ないために、選別処理効率を向上することが出来ない。
【０００５】
そこで、本発明では、作物選別装置において、貯留部に投入される作物の量や作物の大小によって、整列搬送装置から貯留部に戻される作物の量を変更出来るようにすることで、作物選別装置の処理効率を向上させることを課題とする。
【課題を解決するための手段】
【０００６】
請求項１の発明は、貯留部（Ａ）から整列搬送部（Ｃ）を通って整列された作物を選別搬送部（Ｅ）に送って等級毎に選別する作物選別装置で、第１整列搬送コンベア（３７）に続けて設ける第２整列搬送コンベア（４８）上で一列に整列しない作物を搬送外へ取り出す選外取出口（２６）を設け、該選外取出口（２６）から取出した作物をフィードバック手段（５４）で貯留部（Ａ）に戻すようにした整列搬送部（Ｃ）において、前記選外取出口（２６）の開口度を変更調整自在に構成したことを特徴とする作物選別装置とした。
【０００７】
請求項２記載の発明は、開度調整シャッタ（１１５）を整列搬送フレーム（２３）の側部から搬送方向に沿ってスライド可能に構成し、前記選外取出口（２６）の開口度を調整可能に構成したことを特徴とする請求項１に記載の作物選別装置とした。
【０００８】
請求項３記載の発明は、前記第２整列搬送コンベア（４８）を左右に並列した内側整列搬送ベルト（４６ｉ）と外側整列搬送ベルト（４６ｏ）で構成すると共に、該内外の整列搬送ベルト（４６ｉ，４６ｏ）の下部にそれぞれ内側選外取出口（２６ｉ）と外側選外取出口（２６ｏ）を形成し、外側選外取出口（２６ｏ）に設ける開度調整シャッタ（１１５）の閉じ操作に伴って前記内側整列搬送ベルト（４６ｉ）と外側整列搬送ベルト（４６ｏ）の上面高さが外側整列搬送ベルト（４６ｏ）の方が低くなるように開度調整シャッタ（１１５）の開閉操作と左右の整列搬送ベルト（４６ｉ，４６ｏ）の上面高さを連動して構成したことを特徴とする請求項１または２に記載の作物選別装置とした。
【０００９】
請求項４記載の発明は、前記内外整列搬送ベルト（４６ｉ，４６ｏ）の上方周回部を受けるベルトガイド（１１７）を搬送方向に設ける支軸（１１８）に枢支すると共に、前記外側整列搬送ベルト（４６ｏ）側のベルトガイド（１１７）底面を圧縮バネ（１１９）で内外整列搬送ベルト（４６ｉ，４６ｏ）の上面が水平になるよう支持し、開度調整シャッタ（１１５）を閉じる際に該開度調整シャッタ（１１５）の下端縁（１１５ａ）でベルトガイド（１１７）の圧縮バネ（１１９）支持側上面を押し下げてベルトガイド（１１７）を傾けて、内側整列搬送ベルト（４６ｉ）の上面が外側整列搬送ベルト（４６ｏ）の上面より高くなるように構成したことを特徴とする請求項３に記載の作物選別装置とした。
【００１０】
請求項５記載の発明は、前記開度調整シャッタ（１１５）のベルトガイド（１１７）上面に接する下端縁（１１５ａ）を搬送方向下手側の水平端に向かって下方へ傾斜させ、開度調整シャッタ（１１５）の閉じ操作でベルトガイド（１１７）を徐々に押し下げて傾ける構成としたことを特徴とする請求項４に記載の作物選別装置とした。
【００１１】
請求項６記載の発明は、前記第１整列搬送コンベア（３７）を挟んでＶ字状に配置して搬送方向へ駆動する左右のサイド搬送コンベア（１２０Ｒ，１２０Ｌ）を設けて整列搬送部（Ｃ）を構成したことを特徴とする請求項１から請求項５の何れか１項に記載の作物選別装置とした。
【００１２】
請求項７記載の発明は、前記左右のサイド搬送コンベア（１２０Ｒ，１２０Ｌ）の搬送速度を第１整列搬送コンベア（３７）の搬送速度と同じ、あるいは遅く設定して整列搬送部（Ｃ）を構成したことを特徴とする請求項６に記載の作物選別装置とした。
【００１３】
請求項８記載の発明は、前記左右のサイド搬送コンベア（１２０Ｒ，１２０Ｌ）の終端に第１整列搬送コンベア（３７）に向かって第１整列搬送コンベア（３７）よりも速い搬送速度に設定した左右の中央送りコンベア（１２１Ｒ，１２１Ｌ）を設けて整列搬送部（Ｃ）を構成したことを特徴とする請求項６または請求項７に記載の作物選別装置とした。
【発明の効果】
【００１４】
請求項１記載の発明により、整列搬送部Ｃの第２整列搬送コンベア４８上を作物が一個ずつ搬送されるようにして選別搬送部Ｅに送るが、作物が小さくて多い場合には選外取出口２６の開口を広くすることで整列搬送コンベア４８上を重なって送られる作物を選外取出口２６に落下し易くし、作物が大きくて少ない場合には選外取出口２６の開口を狭くすることで、整列搬送コンベア４８上から選外取出口２６へ落下する作物を制限して、作物を一個筒ずつ連続した状態で選別搬送部Ｅに送るようになるため、選別能率が向上する。
【００１５】
請求項２記載の発明により、請求項１の発明の効果に加えて、整列搬送部Ｃに供給される作物の量に応じて選外取出口２６の開口度を変更することができるので、整列搬送フレーム２３の外側から作業者が容易に開口度を変更して作物の落下量を調節可能となり、作物の詰まりが防止される。
【００１６】
請求項３記載の発明により、請求項１または２の発明の効果に加えて、整列搬送部Ｃに供給される作物の量が少なく、外側選外取出口２６ｏを閉じた場合に、外側整列搬送ベルト４６ｏの上面が内側整列搬送ベルト４６ｉの上面より低くなることにより、内外整列搬送ベルト４６ｉ，４６ｏ上から内側整列搬送ベルト４６ｉへ作物が落下し難くすることができるので、作物の整列を促して搬送することができるので、作物の選別精度が向上し、選別作業後に作業者が誤選別された作物を再選別する作業が不要となり、作業者の労力が軽減される。
【００１７】
請求項４記載の発明により、請求項３の発明の効果に加えて、開度調整シャッタ１１５の開閉操作に連動して内外整列搬送ベルト４６ｉ，４６ｏの上面を傾けることができるので、複数の作物が重なり合っているものが選外取出口２６に落下しやすくなり、選別精度が向上する。
【００１８】
請求項５記載の発明により、請求項４の発明の効果に加えて、開度調整シャッタ１１５の閉じ程度によって内外整列搬送ベルト４６ｉ，４６ｏ上面の左右高さを調整出来、外側選外取出口２６ｏから落下する作物の量と同時に内側選外取出口２６ｉから落下する作物の量も調整できるので、内外整列搬送ベルト４６ｉ，４６ｏを通過する作物を一つに絞りやすくなるため、選別精度が向上する。
【００１９】
請求項６記載の発明により、請求項１から請求項５の何れか発明の効果に加えて、第１整列搬送コンベア３７に供給される作物が第１整列搬送コンベア３７と共に左右サイド搬送コンベア１２０Ｒ，１２０Ｌで搬送されることにより、作物を停滞させることなく第二整列搬送コンベア４８に送ることができるので、作物の搬送作業能率が向上する。
【００２０】
請求項７記載の発明により、請求項６の発明の効果に加えて、左右サイド搬送コンベア１２０Ｒ，１２０Ｌ上に載った作物が第１整列搬送コンベア３７よりも速く整列搬送コンベア４８側に送られ、選外取出口２６から落下することを防止できるので、作業能率が向上する。
【００２１】
請求項７記載の発明により、請求項６または７の発明の効果に加えて、左右サイド搬送コンベア１２０Ｒ，１２０Ｌ上の作物が整列搬送コンベア４８側へ送られて選外取出口２６から落下することを確実に防止することができるので、作業能率が向上する。
【図面の簡単な説明】
【００２２】
【図１】整列搬送部の側面図
【図２】整列搬送部の平面図
【図３】選別コンベアの平面図
【図４】選別コンベアの側面図
【図５】（ａ）第１整列搬送コンベアの部分拡大正面図、（ｂ）第２整列搬送コンベアの部分拡大正面図
【図６】整列搬送部の伝動機構図
【図７】作物選別装置の全体側面図
【図８】作物選別装置の全体平面図
【図９】選別搬送部の側面図
【図１０】選別搬送部の平面図
【図１１】（ａ）引継シュータの要部平面図、（ｂ）引継シュータの要部側面図、（ｃ）引継シュータの要部背面図
【図１２】（ａ）選別搬送部の要部平面図、（ｂ）選別搬送部の要部側面図
【図１３】選別搬送部の要部断面図
【図１４】選別搬送部の要部平面図
【図１５】選別搬送部の要部背面図
【図１６】テンションローラの正面図
【図１７】別構成例のテンションローラの正面図
【図１８】（ａ）別構成例のテンションローラの正面図、（ｂ）分解状態の別構成例のテンションローラの正面図
【図１９】（ａ）スクレーパプレートの側面図、（ｂ）スクレーパプレートの前後移動を示す側面図
【図２０】（ａ）スクレーパプレートの要部背面図、（ｂ）スクレーパプレートの前後移動を示す要部背面図、（ｃ）スクレーパプレートの左右回動を示す要部背面図
【図２１】水切り溝を形成した重量検知装置の要部拡大平面図
【図２２】（ａ）水切り溝を形成した重量検知板の正面図、（ｂ）水切り溝を形成した重量検知板の背面図
【図２３】水切り溝を形成した重量検知板の平面図
【図２４】重量検知装置の要部拡大側面図
【図２５】（ａ）外側選外取出口を開いた状態の部分拡大正断面図、（ｂ）外側選外取出口を閉じた状態の部分拡大正断面図
【図２６】別構成の整列搬送部の平面図
【図２７】図２６のＳ１−Ｓ１断面図
【図２８】図２６のＳ２−Ｓ２断面図
【発明を実施するための最良の形態】
【００２３】
本発明の実施の形態について説明する。
図１〜図２４に示すように、作物選別装置の実施例として示す人参選別装置は、洗浄された人参を貯留する貯留部Ａと、貯留部Ａから人参を上方に搬送する汲上搬送部Ｂと、上方搬送装置Ｂから人参を引き継いで人参を一本ずつ整列させる整列搬送部Ｃとからなる移送装置Ｄと、移送装置Ｄから人参を受けて搬送し、設定した条件に応じた人参を回収部に跳ね出す選別搬送部Ｅとから構成される。
【００２４】
本願において選別対象となる人参は、圃場から掘取収穫したときの泥土が付着しているため、一般的に選別作業の前に洗浄機による洗浄作業が行われる。このとき、人参に付着していた泥土や夾雑物、及び人参の表面を覆う白色の薄皮が除去される。除去された泥土や薄皮は洗浄水に混入するため、人参に付着した洗浄水は通常の水（水道水や河川の水等）よりも強い粘性を有するものとなる。よって、本願において「水」という場合には、上記の通り強い粘性を有するものとする。
【００２５】
まず、貯留部Ａについて説明する。
図１、図２、図７及び図８で示すように、メインフレーム１の搬送方向上手側前部に人参を貯留するホッパ２を取り付け、該ホッパ２の搬送方向上手側の前端部に下り傾斜姿勢の傾斜板２ａを取り付けると共に、ホッパ２の左右両側端部に夫々下り傾斜姿勢の左右傾斜板２ｂ，２ｂを取り付けることによって、貯留部Ａが構成される。
【００２６】
次に、汲上搬送部Ｂについて説明する。
図１、図２、図７及び図８で示すように、前記ホッパ２の内側下部に左右側板３，３を取り付けると共に、該左右側板３，３の後端部に左右汲上側板４，４を後上り傾斜姿勢に取り付ける。また、該左右汲上側板４，４の後端部左右間に左右駆動スプロケット５，５を左右両端に軸着した駆動シャフト６を回転自在に取り付け、左右側板３，３と左右汲上側板４，４の境目に左右テンションスプロケット８，８を軸着した左右中間シャフト９を回転自在に取り付けると共に、左右側板３，３の前端部に左右従動スプロケット１０，１０を軸着した従動シャフト１１を回転自在に取り付ける。
【００２７】
そして、該左右駆動スプロケット５，５と左右テンションスプロケット８，８と左右従動スプロケット１０，１０とに左右伝動チェーン１２，１２を無端状に巻き掛ける。さらに、該左右伝動チェーン１２，１２の左右間に人参を搬送方向下手側へ搬送する複数の搬送ローラ１４…を回転自在に取り付け、該搬送ローラ１４…同士の前後間隔を広い間隔部Ｓ１と狭い間隔部Ｓ２が交互に形成されるよう配置し、前記左右汲上側板４，４の終端部に人参を排出する排出シュータ１５を取り付けて、汲上搬送コンベア１６を構成する。該汲上搬送コンベア１６の伝動構成は、図６に示している。
【００２８】
なお、この排出シュータ１５は金属、プラスチック等の硬質部材で構成すると排出位置が安定しやすく、塩化ビニルやスポンジ等の軟質部材で構成すると汲上搬送コンベア１６の搬送終端部の直下の、左右第１整列搬送コンベア３７，３７の搬送始端部に乗せることができ、効率よく人参を整列搬送させることができると共に、排出シュータ１５の端部に人参が接触して傷付くことが防止できるので、人参の商品価値が向上する。
【００２９】
そして、前記メインフレーム１の前後方向の略中央部で且つ上側に支持台１７を取り付け、該支持台１７の上部に汲上搬送コンベア１６に駆動力を供給する駆動モータ１８を取り付ける。また、前記左右汲上側板４，４の左右一側に汲上伝動ケース１９を取り付け、該汲上伝動ケース１９の内側上部に出力スプロケット２０を前記駆動シャフト６の左右一側の端部に軸着して配置し、汲上伝動ケース１９の内部下部に入力スプロケット２１を駆動モータ１８の入力軸に軸着して取り付けると共に、該出力スプロケット２０と入力スプロケット２１との間に汲上伝動チェーン２２を無端状に巻き掛けることによって、汲上搬送部Ｂが構成される。
【００３０】
上記構成によれば、搬送ローラ１４…同士の前後方向の間隔を、広い間隔部Ｓ１と狭い間隔部Ｓ２とが交互に形成されるよう配置したことによって、広い間隔部Ｓ１ではＳ〜Ｌサイズの人参が混在して搬送されるか、あるいは２Ｌ、３Ｌサイズの人参が一本ずつ搬送されるとともに、狭い間隔部ではＳ〜Ｌサイズの人参が搬送され、２Ｌ、３Ｌサイズの人参はその後側の広い間隔部Ｓ１に移動させられるので、後述する左右第１整列搬送コンベア３７，３７の搬送始端部に２Ｌ、３Ｌの人参が一度に大量に投入されることを防止でき、人参の整列制度が向上して、後述する選別搬送部Ｅでの選別精度も向上する。
【００３１】
なお、前記搬送ローラ１４…同士の前後間隔のうち、広い間隔部Ｓ１の幅は２Ｌ、３Ｌサイズの人参の平均的な直径である８０ｍｍ〜１００ｍｍ前後とし、狭い間隔部の幅はＳ〜Ｌサイズの人参の平均的な直径である６０〜８０ｍｍ前後とすると、上記の効果がいっそう発揮されやすくなるので、整列装置の整列精度及び選別搬送部Ｄの選別精度をさらに向上させることができる。
【００３２】
次に、整列搬送部Ｃについて説明する。
図１〜図５、図７、図８に示すように、前記メインフレーム１の後側上部に整列搬送フレーム２３を取り付け、該整列搬送フレーム２３の上部左右両側に左右側板２４，２４を取り付ける。そして、該左右側板２４，２４の左右間の略中央部に、汲上搬送コンベア１６の搬送終端部から排出される人参を後述する左右第１整列搬送コンベア３７，３７の左右いずれか一方に振り分ける山型の振分板２５を取り付け、該振分板２５の後側で且つ後述する左右第２整列搬送コンベア４８，４８に載らない姿勢の整っていない人参を落下させる内外選外取出口２６ｉ、２６ｏを形成する。
【００３３】
この内外選外取出口２６ｉ、２６ｏには、第２整列搬送コンベア４８の内側と外側にそれぞれ内側開口部２６ｉと外側開口部２６ｏを形成し、外側開口部２６ｏを覆うように側方から第２整列搬送ベルト４６ｏに向かう傾斜面を形成した開度調整シャッタ１１５を設けている。この開度調整シャッタ１１５は、左右側板２４に対して前後方向にスライドして外側開口部２６ｏの開口度を全開から全閉まで調整可能にする。
【００３４】
図２５に示す如く、左右第２整列搬送ベルト４６ｉ，４６ｏは、断面視六角形の六角ベルトで構成し、上側周回部の内側を受ける板状のベルトガイド１１７を設けている。このベルトガイド１１７は前後方向の支軸１１８で支持し、外側第２整列搬送ベルト４６ｏ側に設ける圧縮バネ１１９で第２整列搬送ベルト４６ｉ，４６ｏの上面が水平になるように保持している。開度調整シャッタ１１５の下端は前の低い水平端部と後の高い水平端部を傾斜端部で連結し、低い水平端部でベルトガイド１１７を押し下げ、高い水平端部でベルトガイド１１７が水平以上に上がるのを阻止する。そして、開度調整シャッタ１１５を全閉にすると該開度調整シャッタ１１５の下端縁１１５ａがベルトガイド１１７を押し下げることでベルトガイド１１７の圧縮バネ１１９側を押し下げて傾けて内側第２整列搬送ベルト４６ｉをベルト厚みの１／２程度持上げるようになり、ノブボルト１１６を締め付けると其の状態で保持される。このことで、第２整列搬送ベルト４６ｉ，４６ｏに載って搬送される作物が内側開口部２６ｉから落下し難くなる。
【００３５】
開度調整シャッタ１１５の下端は、前後方向で水平部からやや高い位置の水平部まで斜めに形成され、閉じ操作によって水平に保持したベルトガイド１１７に載り上がるに従ってベルトガイド１１７の内側を持上げて内側第２整列搬送ベルト４６ｉが浮き上がる。
【００３６】
なお、ベルトガイド１１７を傾ける方法としては、内側第２整列搬送ベルト４６ｉ側の下部でベルトガイド１１７の下に楔状部材を出し入れするようにしても良い。
内外選外取出口２６ｉ、２６ｏの下側には、人参を側方へ排出する左右排出シュータ５３，５３を側方へ向かって下り傾斜姿勢で整列搬送フレーム２３に取り付け、整列搬送フレーム２３の外側に人参をホッパ２に流下させる左右フィードバックシュータ５４，５４を搬送方向上手側に向かって下方傾斜させて、且つ着脱自在に取り付けることによって、整列搬送部Ｃが構成される。なお、フィードバックシュータ５４は、フィードバック手段の一種であって、搬送ベルトで構成しても良い。
【００３７】
開度調整シャッタ１１５は、人参の収穫初期で人参が小さく多い場合に外側開口部２６ｏを全開にして使用することで、第２整列搬送コンベア４８に多くの人参が載ったままで選別搬送部Ｅに送られるのを防ぎ、人参の収穫後期で人参が大きくて少ない場合に外側開口部２６ｏを全閉にして使用することで、第２整列搬送コンベア４８に載る人参減らすことなく選別搬送部Ｅに送るようにする。
【００３８】
なお、該振分板２５の上面に平坦な塩化ビニル板等を敷設すると人参が滑り落ちやすくなるため、振分板２５の上に人参が停滞してしまい、手作業で左右第１整列搬送コンベア３７，３７に戻す作業が必要なくなるので、作業能率が向上するとともに、大径の人参が連続して搬送されることを防止できるので、整列精度及び選別精度が向上する。
【００３９】
また、前記汲上搬送コンベア１６から人参が振分板２５に落下する位置、即ち振分板２５の前部に３〜５ｍｍ程度の厚みのクッション部材２７を山型形状に沿わせて敷設しておくと、落下の衝撃で人参が傷付くことを防止できるので、人参の商品価値が向上する。
【００４０】
さらに、内外選外取出口２６ｉ、２６ｏの長さは２４０ｍｍ〜４００ｍｍ程度に設定しておくと、平均的な長さ（１２０〜２００ｍｍ）の人参が２本同時に内外選外取出口２６ｉ、２６ｏに入り込んできても内外選外取出口２６ｉ、２６ｏに詰まることが防止されるので、作業者が詰まった人参を取り除く必要がなくなり、作業能率が向上する。
【００４１】
そして、前記整列搬送フレーム２３に左右第１整列搬送コンベア３７，３７及び左右第２整列搬送コンベア４８，４８に駆動力を供給する整列駆動モータ２８を取り付け、該整列駆動モータ２８の出力軸に出力スプロケット２９を軸着する。また、前記左右側板２４，２４の前後方向の中央部近傍に入力スプロケット３０と左右端部に三本の搬送ベルトを巻き掛ける溝部を形成した左右第１駆動プーリ３１，３１を軸着した第１駆動軸３２を回転自在に取り付けとともに、前記左右側板２４，２４の搬送方向の前端部近傍に三本の搬送ベルトを巻き掛ける溝部を形成した左右第１従動プーリ３３，３３を軸着した第１従動軸３４を回転自在に取り付ける。
【００４２】
さらに、前記左右第１駆動プーリ３１，３１と左右第１従動プーリ３３，３３の機体外側と内側の溝に左右第１搬送ベルト３５ｉ，３５ｏを無端状に巻回するとともに、前記出力スプロケット２９と入力スプロケット３０とに整列伝動チェーン３６を無端状に巻回することにより、左右第１整列搬送コンベア３７，３７が構成される。該左右第１整列搬送コンベア３７，３７の伝動構成は、図６に示している。
【００４３】
なお、左右第１整列搬送コンベア３７，３７の左右側板２４，２４に上下方向に長穴を形成し、この長穴に第１従動軸３４を取り付けて左右従動プーリ３３，３３の上下位置を変更可能に構成すると、人参の大きさや生育条件等に応じて左右第１整列搬送コンベア３７，３７の傾斜角度を変更することができるので、人参が左右第１整列搬送コンベア３７，３７で停滞することが防止され、作業能率が向上する。
【００４４】
また、人参の平均的なサイズが小さめである場合や割れ易い品種である場合、左右第１整列搬送コンベア３７，３７の搬送始端部を上昇させて汲上搬送コンベア１６の搬送終端部と左右第１整列搬送コンベア３７，３７との落差を小さくすることによって、落下の衝撃で人参が傷付くことが防止されて人参の商品価値が向上する。逆に、人参の平均的なサイズが大きい場合には、左右第１整列搬送コンベア３７，３７の搬送始端部を下降させて汲上搬送コンベア１６の搬送終端部と左右第１整列搬送コンベア３７，３７との落差を大きくし、空間部を広く確保することによって、汲上搬送コンベア１６と左右第１整列搬送コンベア３７，３７との間に人参が詰まって搬送作業が中断されることが防止されて作業能率が向上すると共に、左右第１整列搬送コンベア３７，３７の搬送始端部に人参を多く乗せることができる。
【００４５】
さらに、第１駆動軸３２が左右第１整列搬送コンベア３７，３７の回動支点となることによって、左右第１整列搬送コンベア３７，３７の搬送始端側を上下方向に移動させても、左右第１整列搬送コンベア３７，３７と左右第２整列搬送コンベア４８，４８との高さ関係が殆ど変化しないので、人参が左右第１整列搬送コンベア３７，３７と左右第２整列搬送コンベア４８，４８との間で停滞することが防止され、人参の整列搬送が円滑に行われるので、作業能率が向上する。
【００４６】
そして、前記第１駆動軸３２の左右方向の略中央部に出力スプロケット３８を軸着し、第１駆動軸３２よりも搬送方向後側で且つ左右方向の略中央部に入力スプロケット３９を軸着した第２駆動軸４０を回転自在に取り付ける。さらに、該第２駆動軸４０の左右両側部に、左右一対の第３駆動プーリ４１ｉ，４１ｏの間に受プーリ４２を独立して回転自在に設けて構成する左右第２駆動プーリ４３，４３を取り付ける。また、前記左右側板２４，２４の搬送方向下手側の端部近傍に二本の搬送ベルトを巻き掛ける溝部を形成した左右一対の第２従動プーリ４４，４４を第２従動軸の左右両側部に軸着する。
【００４７】
そして、前記第２駆動プーリ４３，４３の内外両側に左右第２駆動プーリ４３，４３よりも大径のフランジ４５，４５を夫々取り付け、該左右第２駆動プーリ４３，４３と左右第２従動プーリ４４，４４とに第２整列搬送ベルト４６ｉ，４６ｏを無端状に巻き掛ける。さらに、前記出力スプロケット３８と入力スプロケット３９とに中継伝動チェーン４７を無端状に巻き掛けて、左右第２整列搬送コンベア４８，４８が構成される。該左右第２整列搬送コンベア４８，４８の伝動構成は、図６に示している。
【００４８】
また、左右第１搬送ベルト３５ｉ，３５ｏと左右第２整列搬送ベルト４６ｉ，４６ｏとの左右間で且つ前記左右第１駆動プーリ３１，３１と左右第１従動プーリ３３，３３と左右受プーリ４２，４２とに中央搬送ベルト４９，４９を無端状に巻き掛けることによって、整列コンベア５０が構成される。
【００４９】
なお、左右第１搬送ベルト３５ｉ，３５ｏ及び左右第２整列搬送ベルト４６ｉ，４６ｏの厚み（上下高さ）を中央搬送ベルト４９，４９の厚み（上下高さ）よりも厚く構成する。具体的には、左右第１搬送ベルト３５ｉ，３５ｏと左右第２整列搬送ベルト４６ｉ，４６ｏとを断面視六角形の六角ベルトで構成し、中央搬送ベルト４９，４９を断面視台形の台形ベルト（Ｖベルト）で構成するとよい。
【００５０】
そして、前記内外選外取出口２６ｉ、２６ｏの前側で且つ左右第２整列搬送コンベア４８，４８の搬送経路上方に、人参の搬送姿勢を整えて内外選外取出口２６ｉ、２６ｏの上方を移動させると共に、左右第２整列搬送コンベア４８，４８に複数の人参が載っているときには余分な人参を内外選外取出口２６ｉ、２６ｏに落下させる左右一対の第１ガイドプレート５１，５１を搬送方向下手側ほど左右第２整列搬送コンベア４８，４８の上方に向かわせて取り付ける。
【００５１】
なお、該第１ガイドプレート５１，５１の搬送下手側端部の第１間隔５１ａは、人参が一本通過可能な間隔である６０〜８０ｍｍ程度に設定するとよい。
そして、前記内外選外取出口２６ｉ、２６ｏの後側で且つ左右第２整列搬送コンベア４８，４８の搬送経路上方に、内外選外取出口２６ｉ、２６ｏの上方を通過する際に姿勢の乱れた人参の姿勢を修正すると共に、姿勢が乱れて左右第２選別搬送コンベア４８，４８から大幅にはみ出した人参が接触すると内外選外取出口２６ｉ、２６ｏに落下させる左右の第２ガイドプレート５２，５２を搬送方向下手側ほど左右間隔が狭くなるように取り付ける。
【００５２】
なお、該第２ガイドプレート５２，５２の搬送下手側端部の第２間隔５２ａは、前記第１ガイドプレート５１，５１の搬送下手側端部の第１間隔５１ａよりも大きい、左右第２整列搬送コンベア４８，４８の搬送方向に対して横向きになった人参が姿勢を修正されながら通過可能な間隔である８０〜１００ｍｍ程度に設定するとよい。
【００５３】
また、前記左右の第１ガイドプレート５１，５１及び第２ガイドプレート５２，５２は、軟質ゴム、塩化ビニル等の軟質材で構成すると、人参が傷付くことを防止できるので人参の商品価値が向上すると共に、人参が接触した際に柔軟に屈曲するので、搬送中の人参を停滞させることが防止され、作業能率が向上する。
【００５４】
なお、前記内外選外取出口２６ｉ、２６ｏ及び左右フィードバックシュータ５４，５４の表面に、平坦な塩化ビニル板等を敷設しておくと、人参に加わる落下の衝撃が吸収されるので、人参が傷付くことが防止されて商品価値が向上する。また、平坦な塩化ビニル板等を敷設することにより、人参が内外選外取出口２６ｉ、２６ｏや左右フィードバックシュータ５４，５４から滑り落ちやすくなるので、内外選外取出口２６ｉ、２６ｏや左右フィードバックシュータ５４，５４上で停止した人参を人手でホッパ２に戻す作業が省略されるので、作業者の労力が軽減されると共に、整列搬送作業の自動化を計ることができるので、作業能率が向上する。
【００５５】
上記構成によれば、汲上搬送コンベア１６の搬送終端部の下方に山型形状の振分板２５を設けたことによって、汲上搬送コンベア１６の終端部から排出された人参を左右第１整列搬送コンベア３７，３７の左右いずれか一側に送ることができるので、整列作業の自動化を計ることができ、作業能率が向上する。
【００５６】
そして、振分板２５に内外選外取出口２６ｉ、２６ｏを形成したことによって、左右第２整列搬送コンベア４８，４８に不安定な姿勢のまま乗った人参や、複数本同時に乗った人参を落下させることができるので、左右第２整列搬送コンベア４８，４８から排出される人参は安定した姿勢で且つ１本ずつ排出されるため、排出時に人参同士がぶつかって傷付くことが防止されて人参の商品価値が向上すると共に、整列搬送部Ｃの後部に人参のサイズや形状に応じて選別作業を行う選別搬送部Ｄを設置する場合、一本ずつ人参を投入することにより、誤選別を減少させることができる。
【００５７】
さらに、内外選外取出口２６ｉ、２６ｏの排出口の外側に、落下した人参をホッパ２に流下させる左右フィードバックシュータ５４，５４を搬送方向上手側ほど下方傾斜させて設けたことによって、左右第２整列搬送コンベア４８，４８から落下した人参を自動的にホッパ２に戻して汲上搬送コンベア１６で再び搬送させることができるので、作業の無人化を計られて作業者の労力が軽減されるとともに、作業能率が向上する。
【００５８】
また、左右第１整列搬送コンベア３７，３７を左右第１整列搬送ベルト３５ｉ，３５ｏと、該左右第１整列搬送ベルト３５ｉ，３５ｏの左右間に設ける左右第１整列搬送ベルト３５ｉ，３５ｏよりも薄い（上下幅の短い）中央搬送ベルト４９の三本のベルトで構成したことによって、左右第１整列搬送コンベア３７，３７が正面視（背面視）で凹形状になるので、人参がこの凹部に沿った姿勢で左右第１整列搬送コンベア３７，３７に載りやすくなるので、人参の長尺方向を整列コンベア５０の搬送方向に沿って搬送することができ、左右第２整列搬送コンベア４８，４８に一本ずつ姿勢の整った人参を送りやすく、整列精度が向上する。
【００５９】
そして、中央搬送ベルト３７，３７を左右第１整列搬送コンベア３７，３７と左右第２整列搬送コンベア４８，４８の搬送始端側の第２駆動プーリ４３，４３に亘って巻回したことによって、左右第１整列搬送コンベア３７，３７と左右第２整列搬送コンベア４８，４８との間に隙間が生じなくなるので、この隙間に先端部の細い人参や生育不良等の極小サイズの人参が詰まることが防止でき、作業者が手作業で詰まった人参を取り除く必要がなくなるので作業の自動化が図られるとともに、人参の整列搬送が停滞することを防止できるので、作業能率が向上する。
【００６０】
さらに、左右第２駆動プーリ４３，４３を、左右一対の第３駆動プーリ４１ｉ，４１ｏの間に受プーリ４２を独立して回転自在に設けて構成したことによって、左右第３駆動プーリ４１ｉ，４１ｏが第２駆動軸４０の回転により左右第２整列搬送コンベア３８，３８を駆動させる際、受プーリ４２は中央搬送ベルト４９，４９の回転により左右第１整列搬送コンベア３７，３７と同速で回転することができるので、左右第１整列搬送コンベア３７，３７と左右第２整列搬送コンベア４８，４８との搬送速度に速度差をつけると、左右第１整列搬送コンベア３７，３７から左右第２整列搬送コンベア４８，４８に人参を引き継ぐ際に人参同士の間隔を大きく開けることができる。
【００６１】
また、左右第１整列搬送コンベア３７，３７と左右第２整列搬送コンベア４８，４８との隙間を中央搬送ベルト４９，４９が塞ぐので、先端部の細い人参や生育不良等の極小サイズの人参が詰まることが防止でき、作業者が手作業で詰まった人参を取り除く必要がなくなるので作業の自動化が図られるとともに、人参の整列搬送が停滞することを防止できるので、作業能率が向上する。
【００６２】
なお、第１整列搬送コンベア３７の搬送速度Ｖ１を０．２〜０．３ｍ／Ｓ、第２整列搬送コンベア４８の搬送速度Ｖ２を０．４〜０．５ｍ／Ｓ、即ち第２整列搬送コンベア４８の搬送速度Ｖ２を第１整列搬送コンベア３７の搬送速度Ｖ１の約二倍に設定すると、左右第１整列搬送コンベア３７，３７から左右第２整列搬送コンベア４８，４８に人参が引き継がれる際に、人参同士の間隔を大きく取ることができるので、選別精度がいっそう向上する。
【００６３】
そして、左右第２駆動プーリ４３，４３の内外両側に左右第２駆動プーリ４３，４３よりも大径のフランジ４５，４５を取り付けたことによって、左右第１整列搬送コンベア３７，３７と左右第２整列搬送コンベア４８，４８の引継部での高低差が小さくなるので、人参の引継ぎが円滑に行われるようになり、作業能率が向上する。
【００６４】
なお、左右第１整列搬送コンベア３７，３７と左右第２整列搬送コンベア４８，４８の引継部での高低差は１０〜１５ｍｍ前後に設定すると、引き継ぎの際に人参の姿勢がぶれにくくなるので、人参が円滑に左右第２整列搬送コンベア４８，４８に引き継がれるので、作業能率がいっそう向上する。
【００６５】
上記左右第１整列搬送コンベア３７，３７と左右第２整列搬送コンベア４８，４８、及び汲上搬送コンベア１６の搬送速度は、汲上搬送部Ｂに設ける操作装置（図示せず）によって行うものとする。
【００６６】
さらに、内外選外取出口２６ｉ、２６ｏの前端部に第１ガイドプレート５１，５１を設けたことによって、左右第１整列搬送コンベア３７，３７から左右第２整列搬送コンベア４８，４８に引き継がれる人参の搬送姿勢が乱れていたり、複数の人参が積み重なって引き継がれたりしても、第１ガイドプレート５１，５１が一本の人参の搬送姿勢を整えるとともに重なり合った余分な人参を内外選外取出口２６ｉ、２６ｏに落下させるので、引き継ぎの際に全ての人参が落下し、整列搬送され終わった人参と整列搬送中の人参との間隔が開き過ぎることが防止されるので、作業能率が向上する。
【００６７】
また、内外選外取出口２６ｉ、２６ｏの後端部に左右の第２ガイドプレート５２，５２を設けたことによって、左右第２整列搬送コンベア４８，４８で搬送中に人参の姿勢が乱れることがあっても、第２ガイドプレート５２，５２によって搬送姿勢を正されるので、整列コンベア５０から排出される前に全ての人参が内外選外取出口２６ｉ、２６ｏから落下し、整列搬送され終わった人参と整列搬送中の人参との間隔が開き過ぎることが防止されるので、作業能率が向上する。
【００６８】
そして、第２ガイドプレート５２，５２の搬送下手側端部間に形成する第２間隔５２ａを第１ガイドプレート５１，５１の第１間隔５１ａよりも大きく設定したことによって、人参の搬送姿勢が左右第２整列搬送コンベア４８，４８の搬送方向に対して横方向に向いていても、左右の第２ガイドプレート５２，５２が人参の姿勢を左右第２整列搬送コンベア４８，４８の搬送方向に沿った姿勢に修正することができるので、左右第２整列搬送コンベア４８，４８に一本載った人参を落としてしまうことが防止され、ホッパ２に戻る人参の数が減少するため、作業能率が向上する。
【００６９】
さらに、内外選外取出口２６ｉ、２６ｏの外側に左右フィードバックシュータ５４，５４を設けたことによって、内外選外取出口２６ｉ、２６ｏから落下した人参が自動的にホッパ２に流下するので、作業者が人参をホッパ２に戻す必要が無くなり、作業能率が向上する。
【００７０】
なお、内外選外取出口２６ｉ、２６ｏの下側に設ける左右排出シュータ５３，５３を排出コンベヤとして人参を左右フィードバックシュータ５４へ強制送りして詰まりが発生しないようにしても良い。
【００７１】
図２６には、整列搬送部Ｃの別実施例を示している。
この整列搬送部Ｃは、整列搬送フレーム２３の左右中央に前端から後端まで第１整列搬送コンベア３７を張設し、その前半部に平ベルトからなる左右サイド搬送コンベア１２０Ｒ，１２０Ｌを正面視で第１整列搬送コンベア３７を谷底とするＶ字状に配置し、中間部に平ベルトからなる左右中央送りコンベア１２１Ｒ，１２１Ｌを左右サイド搬送コンベア１２０Ｒ，１２０Ｌに続けて正面視でＶ字状に配置し、後半部で第１整列搬送コンベア３７の左右底部に左右開口部２６Ｒ，２６Ｌを設け、片側の開口部２６Ｒに開度調整シャッタ１１５を設けた構成としている。
【００７２】
左右サイド搬送コンベア１２０Ｒ，１２０Ｌの下端は第１整列搬送コンベア３７に接近して人参が第１整列搬送コンベア３７に確実に載るようにすると共に、左右サイド搬送コンベア１２０Ｒ，１２０Ｌを平ベルト表面に微小突起を形成したシボベルトとして、人参が左右フィードバックシュータ５４へ溢れないようにし、前後長さを人参二本分（約４００ミリ）以上として人参が重なっても後方へ搬送するようにしている。
【００７３】
さらに、左右サイド搬送コンベア１２０Ｒ，１２０Ｌの搬送速度を第１整列搬送コンベア３７の搬送速度とほぼ同一かそれ以上として人参が第１整列搬送コンベア３７上に移動し易くしている。
【００７４】
左右中央送りコンベア１２１Ｒ，１２１Ｌの前後幅を人参一本分以下とすると共に平滑な表面の平ベルトとし、搬送速度を第１整列搬送コンベア３７の搬送速度より速くして、人参の後方搬送を邪魔せずに第１整列搬送コンベア３７上に向けて素早く搬送する。
【００７５】
左右開口部２６Ｒ，２６Ｌは、第１整列搬送コンベア３７の終端まで設け、片側の開口部２６Ｒに開度調整シャッタ１１５を全閉状態で使用するが、この開度調整シャッタ１１５はメンテナンスのために設けるので、片側の開口部２６Ｒ自体を無くすることも可能である、
左右開口部２６Ｒ，２６Ｌの前後長は、人参二本分（約４００ミリ）以上として第１整列搬送コンベア３７上の人参が停滞しないようにしている。
【００７６】
上記の貯留部Ａと汲上搬送部Ｂと整列搬送部Ｃとから、人参を後方に搬送する移送装置Ｄが構成される。
次に、選別搬送部Ｅについて説明する。
【００７７】
図７〜図１５で示すように、整列搬送部Ｃの後方に選別フレーム５５を配置し、該選別フレーム５５の機体後下部で且つ左右一側に出力スプロケット５７を出力軸に装着した駆動モータ５６を設け、該駆動モータ５６の上部にモータカバー５８を設ける。そして、該駆動モータ５６の上方で且つ選別フレーム５５の左右幅に亘る長さのカウンターシャフト６０の左右一側端部に入力スプロケット５９を軸着し、該入力スプロケット５９と出力スプロケット５７とに第１伝動チェーン６１を無端状に巻回する。
【００７８】
また、前記カウンターシャフト６０に左右の第２出力スプロケット６２，６２を軸着し、該第２出力スプロケット６２，６２の上方に左右の駆動回転軸６３，６３を設け、該駆動回転軸６３，６３に左右の第２入力スプロケット６４，６４を回転自在に装着する。さらに、該第２入力スプロケット６４，６４と第２出力スプロケット６２，６２とに第２伝動チェーン６５，６５を無端状に巻回して、選別搬送部Ｅの伝動経路を構成する。
【００７９】
そして、前記駆動回転軸６３，６３の端部にＶ字型の溝を円周上に形成した左右の駆動ローラ６６，６６を設け、該駆動ローラ６６，６６と略同じ上下位置で且つ選別フレーム５５の機体前側にＶ字型の溝を円周上に形成した左右の従動ローラ６７，６７を回転自在に設ける。また、該駆動ローラ６６，６６と従動ローラ６７，６７とに外側端部で且つ裏面にＶ字型の溝に入り込む突起体６８ａを設けた左右の搬送ベルト６８，６８を無端状に巻回する。
【００８０】
さらに、図１０、図１２（ａ）（ｂ）、図１４及び図１５で示すように、該搬送ベルト６８，６８の非搬送作用側（巻回域下側）に前記選別フレーム５５から機体左右方向中央部に向かって左右のシャフト９７，９７をそれぞれ配置し、該シャフト９７，９７に大径部９９を形成した複数の分割ローラ９８…を軸着する。そして、左右両外側端に位置する分割ローラ９８，９８の左右外側に、分割ローラ９８が左右方向に移動することを防止する左右のクッションローラ１００，１００を設けることにより、前記搬送ベルト６８，６８に付着した水を拡散させることなく搬送ベルト６８，６８の下方への弛みを防止する回転自在なテンションローラ６９，６９が構成される。
【００８１】
上記分割ローラ９８に形成する大径部９９は、分割ローラ９８本体の径よりも大径に構成し、分割ローラ９８の左右幅よりも短く構成すると共に、分割ローラ９８の左右どちらか一側の端部に構成するものである。
【００８２】
これにより、作物を機体前側から後側に向けて搬送する左右の搬送コンベア７０，７０が構成される。
なお、前記駆動ローラ６６，６６と従動ローラ６７，６７は搬送ベルト６８，６８のそれぞれ外側端部の巻回域内に配置されるため、搬送ベルト６８，６８上に重量物が載ると、搬送ベルト６８，６８は重量に合わせて柔軟に撓むことができる。
【００８３】
シャフトに搬送ベルトの左右幅と略同じ範囲に亘って接触するテンションローラを軸着する従来構成では、搬送ベルトに付着した水が毛細管現象により拡散してしまい、搬送ベルトの裏側に水が移動して、従動ローラに搬送ベルトが接触した際に搬送ベルトがスリップしてしまい、人参の搬送姿勢が乱れたり、重量検知位置で搬送ベルトが人参の重量で押し下げられず、選別精度が低下したりすることがあった。
【００８４】
しかしながら本件実施例では、分割ローラ９８に形成する大径部９９の左右幅を分割ローラ９８の本体の左右幅よりも短くしたことにより、テンションローラ６９と搬送ベルト６８との接触面積が小さくなるので、毛細管現象による水の拡散が防止されるので、搬送ベルト６８がスリップして人参の搬送姿勢が乱れることや、重量検知位置で人参が重量検知されなくなることを防止できるので、人参が重量に対応した適切な選別位置で選別されるため、人参の選別精度が向上する。
【００８５】
また、左右両外側端に位置する分割ローラ９８，９８の左右外側に、分割ローラ９８が左右方向に移動することを防止する左右のクッションローラ１００，１００を設けたことにより、搬送ベルト６８に接触した際に分割ローラ９８，９８が左右方向に移動することを防止できるので、分割ローラ９８，９８が水を搬送ベルト６８の裏側に移動させてしまうことが防止され、搬送ベルト６８がスリップしてしまうことを防止できる。
【００８６】
また、図１０、図１２（ａ）（ｂ）、図１４及び図１５で示すテンションローラ６９…に変えて、図１７で示すように、左右のシャフト９７，９７に複数の凹部１０３…と、該凹部１０３…よりも大径で且つ左右幅の短い凸部１０４…を複数形成した、搬送ベルト６８の左右幅と略同じ左右長さの凹凸ローラ１０５を回転自在に装着して、左右のテンションローラ６９…を構成してもよい。
【００８７】
上記構成では、凹凸ローラ１０５の左右幅が搬送ベルト６８の左右幅と略同じ長さであることにより、左右のクッションローラ１００，１００が無くとも凹凸ローラ１０５が左右方向に勝手に移動することが無いので、水を搬送ベルト６８の裏側に移動させてしまうことが防止され、搬送ベルト６８がスリップしてしまうことを防止できる。
【００８８】
また、凹部１０３…と凸部１０４…を一体形成していることにより、メンテナンス等の際や部品交換の際に凹凸ローラ１０５を容易に着脱することができるので、メンテナンス性が向上する。
【００８９】
さらに、下記のような、図１８（ａ）（ｂ）で示す形態のテンションローラ６９…を用いてもよい。
前記シャフト９７，９７に複数の溝部１０６ａ…を略等間隔に形成した、搬送ベルト６８の左右幅と略同じ左右長さの溝付ローラ１０６を回転自在に装着し、該溝部１０６ａ…に夫々溝付ローラ１０６よりも大径のＯリング等の環状部材１０７…を設けてテンションローラ６９…を構成する。
【００９０】
上記構成では、溝付ローラ１０６の左右幅が搬送ベルト６８の左右幅と略同じ長さであることにより、左右のクッションローラ１００，１００が無くとも溝付ローラ１０６が左右方向に勝手に移動することが無いので、水を搬送ベルト６８の裏側に移動させてしまうことが防止され、搬送ベルト６８がスリップしてしまうことを防止できる。
【００９１】
また、溝付ローラ１０６の溝部１０６ａ…に夫々環状部材１０７…を設けたことにより、搬送ベルト６８には複数の環状部材１０７…が接触するので、溝付ローラ１０６が破損しにくく耐久性が向上すると共に、環状部材１０７を溝付ローラ１０６の溝部１０６ａから容易に着脱することができるので、メンテナンス性が向上する。
【００９２】
搬送ベルト６８に接触する大径部９９、凸部１０４、環状部材１０７のいずれの部材を用いる場合でも、搬送ベルト６８と接触する部分の左右幅は２〜３ｍｍとする。
２ｍｍ未満では搬送ベルト６８との接触面積が小さくなり過ぎ、接触時にかかる圧力が高くなり過ぎ、搬送ベルト６８が早期に摩耗して破損してしまう可能性があり、３ｍｍ以上とすると接触面積が大きくなり過ぎ、毛細管現象により水が拡散し、選別ベルト６８の裏側に入り込んでしまう可能性がある。
【００９３】
また、分割ローラ９８と凹部１０３の左右幅、及び環状部材１０７，１０７の左右間隔は、２５〜３０ｍｍとする。
２５ｍｍ未満とすると部材数が多くなり過ぎ、交換作業の工数が増えてメンテナンス性が低下すると共に、部品コストが向上してしまう。逆に、３０ｍｍ以上にすると搬送ベルト６８が垂れて分割ローラ９８、凹部１０３、溝付ローラ１０６に接触してしまい、水を拡散させて搬送ベルト６８の裏側に付着させてしまう可能性がある。
【００９４】
図７〜図９、図１１（ａ）（ｂ）（ｃ）で示すように、該左右の搬送コンベア７０，７０の搬送始端部の上方位置で且つ選別フレーム５５の上部に、前記移送装置Ｄから排出される人参を受けて搬送コンベア７０，７０に移動させる後下り傾斜姿勢の左右の引継シュータ７１，７１を備える側面視Ｌ字型の取付フレーム１１３，７２をボルト・ナットで選別フレーム５５に着脱自在に設ける。
【００９５】
該引継シュータ７１，７１は、図１１（ａ）（ｂ）（ｃ）で示すように、左右方向中央部の前後長さを２Ｓサイズの人参約１本分（約６０〜８０ｍｍ）と同じ長さ、又は短い長さに形成し、左右両端部に向かうにつれて前後幅を長く形成して、左右両端部では３Ｌサイズの人参の全長の４０％〜６０％程度を支持可能な長さ（約１００〜１５０ｍｍ）で形成している。これにより、前記引継シュータ７１，７１の後部側は平面視でＶ字型（ハの字型）に形成される。また、引継シュータ７１，７１の人参との接触面（表面）に樹脂材でコーティング層７１ａを形成し、該コーティング層７１ａの後側端部を引継シュータ７１の後側端部よりも５ｍｍ前後後方に延出させる。
【００９６】
そして、図９〜図１１（ａ）（ｂ）（ｃ）で示すように、該引継シュータ７１，７１の後下側で且つ搬送ベルト６８，６８の巻回域内に前記搬送ベルト６８，６８の弛みを防止すると共に移動を促進する左右の前側スライダ板７２，７２を設け、該前側スライダ板７２，７２の上部に引継シュータ７１，７１または移送装置Ｄの終端部から搬送ベルト６８，６８に飛び出した人参が落下の衝撃でバウンドすることを防止するクッションプレート７３，７３を取り付ける。前側スライダ板７２，７２は滑りやすい樹脂材でコーティング処理しており、クッションプレート７３，７３はゴム等の弾性体やゲルクッション等の軟質材で構成する。
【００９７】
また、図９、図１０で示すように、前記搬送ベルト６８，６８の機体後端側の巻回域内に左右の後側スライダ板７４，７４を設け、該後側スライダ板７４，７４の前後端部を下方傾斜方向に折り曲げて屈曲部７４ａ，７４ａを形成する。さらに、該前側スライダ板７２，７２と後側スライダ板７４，７４との間に、左右の搬送コンベア７０，７０で搬送される人参の重量を検知する複数の重量検知装置７５，７５…と搬送ベルト６８，６８の弛みを防止すると共に移動を促進する複数の選別スライダ板７６，７６…を交互に配置する。
【００９８】
図９、図１１（ａ）（ｂ）（ｃ）で示すように、該選別スライダ板７６の機体前側に前側下方に向かい傾斜する前側屈曲部７６ａを形成し、選別スライダ板７６の機体後側に屈曲面がＲ形状となるように下方に向かって略直角に折り曲げた後側屈曲部７６ｂを形成する。そして、該前側屈曲部７６ａに前側支持アーム７７ａの基部側を設け、後側屈曲部７６ｂに後側支持アーム７７ｂの基部側を設け、該前側支持アーム７７ａと後側支持アーム７７ｂの端部側を選別フレーム５５に取り付けて、複数の選別スライダ板７６…を固定する。
【００９９】
なお、前側屈曲部７６ａをＲ形状となるように屈曲させると、選別スライダ板７６に搬送ベルト６８がいっそう引っ掛かりにくくなるので、選別搬送の能率が向上する。
図１０及び図１４で示すように、上記前側スライダ板７２と後側スライダ板７４と前後間の複数の選別スライダ板７６…の左右両側上部には、搬送ベルト６８の移動を促進する左右のリブ８２，８２（突起体）を前後方向に亘って貼り付けてもよい。
【０１００】
該リブ８２，８２は断面形状を凸部と凹部が連続する鋸刃状に形成すると、搬送ベルト６８との接触密度が低下して搬送ベルト６８の移動をより円滑にすることができると共に、搬送ベルト６８に付着した水が入り込んでもスリップしにくいため、作業能率が向上する。
【０１０１】
また、図１３及び図１４で示すように、前記重量検知装置７５は、搬送ベルト６８，６８の巻回域内に配置する上下回動自在なリンクアーム７７と、該リンクアーム７７の上側で且つ機体内側端部に設ける搬送コンベア７０，７０で搬送中の人参が通過する重量検知板７８と、該重量検知板７８が一定距離以上回動すると後述する跳出装置８４を作動させる信号を発する検知センサ７９と、前記リンクアーム７７の機体外側端部に設ける内側に重り８０ａを入れて重量検知装置７５が判別する人参の重量を調節する調節皿８０と、微細な検知重量を調節するバランスウェイト８１とで構成する。
【０１０２】
図１２（ｂ）で示すように、該重量検知板７８の機体内側端部を下方に向けて直角に屈曲させ、直角部７８ａを形成する。
本実施例では、重量検知装置７５を３Ｌ，２Ｌ，Ｌ，Ｍ，Ｓに対応する五基設け、五つの等級に人参を選別可能に構成している。検知する等級は調節皿８０に入れる重り８１ａの数を増減させることにより、容易に変更が可能である。検知する重量を機体前側ほど重いもの、機体後側ほど軽いものと設定すると、全ての重量検知装置７５は検知を開始する下限値だけを設定すればよく、検知する重量の設定が容易となる。
【０１０３】
そして、図７〜図１０で示すように、前記選別フレーム５５の機体左右両外側で且つ左右の重量検知板７８，７８の前後方向略中央部から機体後側の複数の選別スライダ板７６，７６…の前後方向略中央部に亘って搬送ベルト６８，６８で搬送中の人参を側方から打撃して後述する回収シュータ９３に送り出す左右の跳出装置８４，８４を配置する。
【０１０４】
また、該跳出装置８４，８４の前後間に人参が機体外側に移動することを防止する左右の中間板８５，８５…を夫々固定して設け、選別フレーム５５の前端部から最前列の重量検知装置７５，７５の前端部に亘って左右の前部側壁８６，８６を固定して設けると共に、最後列の重量検知装置７５，７５の後端部から選別フレーム５５の後端部に亘って左右の後部側壁８７，８７を固定して設ける。
【０１０５】
図１３、図１４で示すように、前記跳出装置８４は、機体左右方向に回動自在な跳出板８８と、前記検知センサ７９から信号を受けると作動するソレノイド８９と、該ソレノイド８９が作動すると跳出板８８を機体外側から搬送コンベア７０の搬送経路上に押し出す押出アーム９０で構成する。該跳出板８８の打撃作用面にはゴム等の弾性体を貼り付けることにより、打撃の衝撃で人参が傷付くことを防止している。
【０１０６】
そして、図１０、図１４で示すように、前記複数の中間板８５…を前端部が後端部よりも機体外側に位置するように配置する。なお、中間板８５…の前端部はボルト等の固定部材で選別フレーム５５に固着し、固定部材を取り除くと後端側を回動中心として回動可能に構成する。回動可能な範囲は、前後方向略直線位置（０度）から約３０度までとするとよい。
【０１０７】
さらに、図８、図１０で示すように、前記左右の搬送コンベア７０，７０の左右間で且つ選別フレーム５５の前端部から最前列の重量検知装置７５，７５の前後方向略中央部に亘って正面視又は背面視で山型の分離板９１を設け、該分離板９１の後側に人参をサイズ毎に落下させてコンテナ等の収容容器９２に移動させる複数の回収シュータ９３…を前後方向に亘って設け、該複数の回収シュータ９３…を連結すると共に作業者が手で掴んで回収シュータ９３…を持ち上げることのできる連結取手９４を回収シュータ９３…の前後間に亘って上方に配置する。
【０１０８】
そして、該連結取手９４の下部から回収シュータ９３の内側に亘って左右一側の搬送コンベア７０から跳出装置８４で送り出された人参を受け止めて下方に落下させるガイドカーテン９５を取り付ける。
【０１０９】
このガイドカーテン９５は、ゴムや塩化ビニル等の軟質部材で構成すると人参がぶつかっても傷付きにくく、人参の商品価値が維持される。
そして、図７、図８、図９、図１０、図１９（ａ）（ｂ）及び図２０（ａ）（ｂ）（ｃ）で示すように、前記左右の搬送コンベア７０，７０の搬送終端部に、大き過ぎる（４Ｌ以上）、あるいは小さ過ぎる（２Ｓ以下）ため選別されなかった規格外の人参を回収する箱形状のコンテナや袋体等の収容容器９２を載置する左右の載置台９６，９６を機体前後方向に回動自在に配置する。
【０１１０】
そして、前記搬送コンベア７０，７０と載置台９６，９６との間で且つ選別フレーム５５の機体後端部側に側面視で「へ」の字形状の支持ブラケット１０８，１０８を取り付け、機体後方に向かって下方傾斜する該支持ブラケット１０８，１０８の上部に前側端部が左右の搬送ベルト６８，６８に夫々接触して水や夾雑物を擦り取るスクレーパプレート１０９，１０９を載置台９６，９６に載置した収容容器９２，９２に向けて後下り傾斜姿勢で取り付ける。これにより、選別搬送部Ｅが構成される。
【０１１１】
該スクレーパプレート１０９，１０９の機体前側端部、即ち選別ベルト６８に接触する側の端部は表面、裏面共に刃面形状としているため、片面が摩耗して十分な水や夾雑物の掻き取りができなくなった場合、スクレーパプレート１０９，１０９を裏返せば殆ど摩耗していない刃面が搬送ベルト６８，６８に接触するため、反対側の面が摩耗し切るまではスクレーパプレート１０９，１０９を使うことができるので、耐久性が向上する。
【０１１２】
また、機体後方に向けて下方傾斜姿勢のスクレーパプレート１０９，１０９を選別コンベア７０，７０の搬送終端部よりも後方に設け、該スクレーパプレート１０９，１０９の上部を平坦且つ３Ｓ以下の人参が上方を通過可能な形状、例えば板体や左右間隔が１０ｍｍ未満のスノコ形状の案内部１０９ｂ，１０９ｂとすることにより、選別コンベア７０，７０から排出される選別対象外の人参（２Ｓ以下の極小人参）を載置台９６，９６に載置した収容容器９２，９２に案内するシュータとすることができるので、人参を確実に機外に排出することができ、作業能率が向上する。
【０１１３】
該スクレーパプレート１０９，１０９は食品用の箆や杓文字に一般的に用いられるポリエチレン等の合成樹脂で構成すると、適度な弾性を持たせることができるとともに、有害な成分が人参に付着することがなく、人参の安全性が確保される。
【０１１４】
なお、図２０（ａ）（ｂ）（ｃ）で示すように、該スクレーパプレート１０９，１０９には前後方向に長い長孔１０９ａ，１０９ａを左右方向に等間隔を開けて形成し、下方傾斜姿勢の支持ブラケット１０８，１０８の上部には螺子溝を刻んだ螺子穴１０８ａ，１０８ａを長孔１０９ａ，１０９ａと同じ左右間隔で形成する。
【０１１５】
長孔１０９ａ，１０９ａの左右間隔は、２Ｓ以下の人参の長辺と同じ、または若干長く構成すると、スクレーパプレート１０９，１０９をボルト・ナット等の固定部材で支持ブラケット１０８，１０８に取り付けても、人参が固定部材に接触して傷付くことが防止されるので、人参が接触の衝撃で削られ、商品価値が低下することを防止できる。
【０１１６】
なお、２Ｓ以下の小玉過ぎる人参や、４Ｌ以上の大玉過ぎる人参、二又や極端な屈曲等の奇形、収穫時に割れた人参は、一般的にジュースや冷凍食品等の材料となる加工用として出荷されるため、多少の傷があっても商品価値は低下しないが、身が削れる等重量が減少するとその分価値が低下するので、固定部材等との接触による破損を防止することには相応の意義がある。
【０１１７】
上記の意義を実現すべく、スクレーパプレート１０９，１０９を支持ブラケット１０８，１０８に固定するボルト・ナット等の固定部材の上端部を、スクレーパプレート１０９，１０９の上端部からはみ出さない構成（図示省略）とすると、４Ｌ以上の大きな人参も傷付きにくくなる。
【０１１８】
また、支持ブラケット１０８，１０８を選別フレーム５５に取り付けるために、支持ブラケット１０８，１０８の機体内側にボルト等の固定部材を取り付ける丸孔１０８ａを形成し、機体外側には支持ブラケット１０８，１０８の左右方向の傾斜角度を変更可能にする円弧状の長孔１０８ｂを形成する。
【０１１９】
なお、上記構成の場合、長孔１０８ｂの上端位置は丸孔１０８ａを形成した位置と略水平位置とすると、支持ブラケット１０８，１０８の左右方向への傾斜姿勢を搬送コンベア７０に対して水平状態から、搬送コンベア７０に対して機体外側方向に下方傾斜姿勢となるまでの範囲で調節が可能となり、不要な範囲への回動を規制することができる。
【０１２０】
逆に、機体外側に丸孔１０８ａを形成し、機体内側に長孔１０８ｂを形成する場合は、長孔１０８ｂの下端位置を丸孔１０８ａを形成した位置と略水平位置とすることにより、支持ブラケット１０８，１０８の左右方向への傾斜姿勢を搬送コンベア７０に対して水平状態から、搬送コンベア７０に対して機体外側方向に下方傾斜姿勢となるまでの範囲で調節が可能となり、不要な範囲への回動を規制することができる。
【０１２１】
上記構成により、左右の搬送コンベア７０，７０を一つの駆動モータ５６で駆動させることができるので、部品点数が削減されて低コスト化、省資源化が図られる。
また、左右の搬送コンベア７０，７０の搬送速度が略同速度となるので、左右の選別作業の効率を略同じにすることができ、左右の搬送コンベア７０，７０で順次人参が選別され、作業能率が向上する。
【０１２２】
そして、引継シュータ７１の中央部の前後幅を最も短くしたことにより、２Ｓサイズ以下の小さな人参は引継シュータ７１上に滞留する前に搬送コンベア７０に落下移動させられるため、引継シュータ７１で二本以上の人参が合流してしまい、二本以上の人参が同時に重量検知装置７５で重量検知することを防止できるので、重量検知装置７５が二本の小さな人参を一本の大きな人参と誤認して跳出装置８４を作動させてしまうことがなく、人参の選別精度が向上する。
【０１２３】
さらに、引継シュータ７１の左右両側の長さを、３Ｌサイズの人参を支持可能な長さとしたことにより、大きな人参が引継シュータ７１から左右方向にはみ出し、搬送コンベア７０に移動せず機外に落下することを防止できるので、落下の衝撃で人参が傷付くことが防止され、人参の商品価値が維持されると共に、落下した人参を拾い直す作業が省略され、作業者の労力が軽減される。
【０１２４】
また、引継シュータ７１の作用面に樹脂材でコーティング層７１ａを形成し、コーティング層７１ａの後端部を引継シュータ７１の後端部よりも後方に突出させたことにより、引継シュータ７１の後端部の尖ったエッジに人参が接触することを防止できるので、人参が傷付くことが防止され、人参の商品価値が向上する。
【０１２５】
これにより、引継シュータ７１を金属板のような頑丈な素材で構成することができ、引継シュータ７１の取り付けが容易になるとともに、耐久性が向上する。
そして、引継シュータ７１の後下側で且つ搬送ベルト６８，６８の巻回域内に設ける前側スライド板７２にクッションプレート７３を設けたことにより、移送装置Ｄから引き継いだ人参が選別コンベア７０に落下する衝撃をクッションプレート７３が吸収するため、落下の衝撃で人参が傷付くことが防止され、人参の商品価値が向上する。
【０１２６】
さらに、クッションプレート７３が人参の落下の衝撃を吸収することにより、人参がバウンドして重量検知装置７５に飛び乗り、落下の衝撃で重量検知装置７５を誤検知させて跳出装置８４を作動させてしまうことを防止できるので、人参の選別精度が向上する。
【０１２７】
なお、該クッションプレート７３，７３は前側スライダ板７２，７２の前端部から前後方向略中央位置に亘って配置し、重量選別装置７５に近接する後端部側には設けないことにより、３Ｌサイズのような長くて重い人参の一部がクッションプレート７３上に載ったまま重量検知されることを防止でき、選別精度が向上する。
【０１２８】
また、後側スライダ板７４の前側及び複数の選別スライダ板７６…の機体前側を隣接する重量検知装置７５に向かうほど下方傾斜となる屈曲部７４ａ及び前側屈曲部７６ａを形成したことにより、重量検知装置７５の重量検知板７８を人参が下降させながら通過する際、人参を載置した搬送ベルト６８は下降した重量検知板７８の後端部から屈曲部７４ａ及び前側屈曲部７６ａに沿って移動することができるので、搬送ベルト６８が後側スライダ板７４及び選別スライダ板７６…の前側端部に引っ掛かり回転駆動に乱れが生じることが防止され、人参の搬送ペースが安定し、選別精度が向上する。
【０１２９】
さらに、人参が搬送ベルト６８から落下することが防止されるので、落下の衝撃で人参が傷付くことが防止されて人参の商品価値が向上すると共に、落下した人参を拾い集める必要が無く、作業者の労力が軽減される。
【０１３０】
従来構成では、重量検知板の後端部とスライダ板の前端部とを略直線状に配置されているため、人参の重量で重量検知板が押し下げられた際に搬送ベルトがスライダ板の前端部に接触し、あるいは重量検知板とスライダ板との間に挟まれてしまうことがあり、搬送コンベアの搬送速度に乱れが生じたり、停止したりしてしまう問題がある。
【０１３１】
そして、選別スライダ板７６…の機体後側に屈曲面がＲ形状となる後側屈曲部７６ｂを形成したことにより、選別スライダ板７６…から重量検知板７８に人参を載置して移動させる際に搬送ベルト６８が揺らぐことがなく、人参の搬送ペースが安定し、選別精度が向上する。
【０１３２】
なお、前側屈曲部７６ａの前後長さは、選別スライダ板７６の前側に設ける重量検知装置７５の検出重量に応じて変更してもよい。重量検知装置７５が検知する重量が重いほど前側屈曲部７６ａの長さを長くし、検知する重量が軽いほど長さを短くすると、重量検知装置７５の重量検知板７８が上下移動する際に押し上げられるのは前側下方に傾斜した人参の端部だけとなるので、次の重量検知装置７５まで人参がジャンプしてしまうことを防止でき、人参が落下の衝撃で重量検知装置７５を誤検知させてしまうことを防止できるので、選別精度が向上する。
【０１３３】
本実施例を例に挙げると、３Ｌサイズの重量検知装置７５の後側では約３０〜４０ｍｍ、２Ｌサイズでは約２５〜３５ｍｍ、Ｌサイズでは約２０〜３０ｍｍ、Ｍサイズでは約１０〜２０ｍｍとしている。Ｓサイズの部分では前側屈曲部７６ａを屈曲させていないが、本実施例ではＳサイズが最後の重量検知位置であるので、誤検知となり得ないためにこのような構成としている。２Ｓ，３Ｓなどより小さな人参を選別する場合は、人参のジャンプによる誤検知を防止すべく、Ｓサイズの部分にも前側屈曲部７６ａを形成する。
【０１３４】
上記の長さに幅があるのは、前後に長く径が小さいもの、前後に短く径が大きいもの、果肉の密度が高いもの等、人参に様々な種類があるために、若干の余裕を持たせるためである。
【０１３５】
また、調節皿８０に重り８０ａを出し入れして重量検知装置７５の検知重量を変更することができるので、人参の品種や生育状況等の選別条件の違いがあっても人参の選別精度を向上させられる。
【０１３６】
さらに、バランスウェイト８１を調節して検知重量を微細に調節することができるので、僅かな重量の差により跳ね出されない人参の発生が防止され、選別精度が向上すると共に、手作業で人参を選別し直す必要が無く、作業者の労力が軽減される。
【０１３７】
また、重量検知板７８の機体内側を下方に向けて直角に屈曲させ、直角部７８ａを形成したことにより、搬送ベルト６８が回収シュータ９３側に傾きにくくなるので、人参が跳出装置８４に打撃されること無く搬送コンベア７０上から回収シュータ９３に移動してしまうことを防止でき、選別精度が向上すると共に、作業者が選別し直す必要が無く、作業者の労力が軽減される。
【０１３８】
なお、左右の搬送コンベア７０，７０を、機体外側から内側に向けて０．５〜１度程度上方傾斜させると、人参は搬送コンベア７０，７０の機体外側に寄って移動することができるので、人参が跳出装置８４に打撃されること無く搬送コンベア７０上から回収シュータ９３に移動してしまうことを防止でき、選別精度が向上すると共に、作業者が選別し直す必要が無く、作業者の労力が軽減される。
【０１３９】
そして、中間板８５…の前端部が跳出板８８の後端部よりも機体外側に位置するので、人参が跳出板８８の後端部側に接触する際に中間板８５…の先端部側に引っ掛かり、次の人参が来て重量検知装置７５が二本を一本の人参と誤認してしまうことを防止でき、人参の選別精度が向上する。
【０１４０】
さらに、中間板８５…の先端部に引っ掛からずとも、衝突の衝撃で跳ね返され、重量検知装置７５に強い衝撃と共に載ってしまい、重量検知装置７５を誤動作させてしまうことが防止できるので、選別精度が向上する。
【０１４１】
なお、跳出板８８の回動軸８８ａを跳出板８８よりも機体外側に配置し、跳出板８８の機体前側が機体後側よりも機体外側に位置する構成としてもよい。
上記構成により、跳出板８８と中間板８５…とは平面視で鋸刃形状に配置され、跳出板８８の後側端部と中間板８５…の前側端部との間に空間部が生じるので、人参がいっそう中間板８５…の先端部側に接触しにくくなり、重量検知装置７５は人参の重量を一本ずつ確実に検知でき、選別精度がいっそう向上する。
【０１４２】
また、左右の選別コンベア７０，７０の左右間に回収シュータ９３…を重量検知装置７５及び跳出装置８４と同数設けたことにより、重量検知装置７５で検知した重量の人参を跳出装置８４で対応する等級の回収シュータ９３…に送り出し、コンテナ等の収容容器９２で人参を等級ごとに回収することができる。
【０１４３】
そして、回収シュータ９３…を連結取手９４で上方から連結したことにより、作業者は複数の回収シュータ９３…を同時に取り外すことができるので、メンテナンス作業のスペースが容易に確保される。
【０１４４】
さらに、連結取手９４の下部に跳出装置８４で打撃されて送り出された人参を受けて下方の回収シュータ９３…に落下案内するガイドカーテン９５を設けたことにより、跳出装置８４に送り出された人参が隣の列の搬送コンベア７０まで移動してしまい、人参が同じ箇所に二本乗りして、あるいは落下の衝撃で隣の列の重量検知装置７５を誤作動させてしまうことが防止できるので、選別精度が向上する。
【０１４５】
また、隣の列の搬送コンベア７０で搬送中の人参にぶつかることを防止できるので、衝突の衝撃で人参が傷付くことが防止され、人参の商品価値が維持される。
そして、左右の搬送コンベア７０，７０の搬送終端部に、規格外の人参を回収する収容容器９２を載置する左右の載置台９５，９５を設けたことにより、選別条件の設定が難しい規格外の人参をただ搬送するだけで回収することができるので、選別作業の能率が向上する。
【０１４６】
また、載置台９５，９５を前後方向に回動自在に設けたことにより、選別搬送部Ｅを収納するときには載置台９５，９５を機体に近接させて前後幅を短くすることができるので、収納スペースが狭くても容易に収納することができる。
【０１４７】
そして、スクレーパプレート１０９，１０９に長孔１０９ａ，１０９ａを形成していることにより、支持ブラケット１０８，１０８にスクレーパプレート１０９，１０９を取り付ける位置を前後方向に調節することができるので、水や夾雑物が多いときにはスクレーパプレート１０９，１０９の前側端部と搬送ベルト６８，６８を接近させると水や夾雑物がスクレーパプレート１０９によって取り除かれるため、水や夾雑物が搬送ベルト６８の裏側に入り込んでスリップすることが防止される。これにより、重量検知位置で搬送ベルト６８が撓まずに、人参が下位の等級で誤って選別されることや、搬送ベルト６８が停止した反動で異なる等級の回収シュータ９３に移動してしまうことが防止でき、人参の選別精度が向上する。
【０１４８】
一方、搬送ベルト６８の水や夾雑物が少ないときには、スクレーパプレート１０９，１０９の前側端部と搬送ベルト６８，６８を若干離間させて接触量を小さくすることにより、選別ベルト６８，６８に不要な摩擦がかかることを防止できるので、摩擦により選別ベルト６８，６８が破損することが防止され、耐久性が向上する。
【０１４９】
さらに、支持ブラケット１０８，１０８の機体内側又は機体外側に取付用の長孔１０８ｂ，１０８ｂを形成し、支持ブラケット１０８，１０８を丸孔１０８ａ，１０８ａを回動支点として、支持ブラケット１０８，１０８を水平姿勢から機体外側に向かう下り傾斜姿勢まで姿勢変更可能に構成したことにより、スクレーパプレート１０９，１０９が搬送ベルト６８，６８から擦り取った水や夾雑物を機体外側に排出することができるので、搬送ベルト６８，６８の裏側に水や夾雑物が入り込むことが防止され、重量検知位置で搬送ベルト６８が撓まずに人参が下位の等級で誤って選別されることや、搬送ベルト６８が停止した反動で人参が異なる等級の回収シュータ９３に移動してしまうことがなく、人参の選別精度が向上する。
【０１５０】
なお、スクレーパプレート１０９，１０９の機体後方への下り傾斜角度は、機体前端部を基準として４５〜６０度の範囲で設定すると、スクレーパプレート１０９，１０９が搬送ベルト６８，６８の回転に巻き込まれにくくなるので、スクレーパプレート１０９，１０９が作業中に折れたり曲がったりすることが  なく、スクレーパプレート１０９，１０９の耐久性が向上する。
【０１５１】
また、作業中に破損した、あるいは外れたスクレーパプレート１０９，１０９を交換したり組み付け直したりする必要が無いので、作業能率が向上する。
さらに、支持ブラケット１０８，１０８の機体外側方向に下り傾斜姿勢となる角度を２〜５度の範囲に設定すると、スクレーパプレート１０９，１０９が選別コンベア７０，７０から排出される人参を収容容器９２，９２に送り出すシュータとしての機能を損なうことが無いまま、搬送ベルト６８，６８から擦り取った水や夾雑物を機体外側に移動させて排出することができる。
【０１５２】
図２１〜図２４で示すとおり、重量検知装置７５を構成する重量検知板７８の表面側に、機体前後方向に亘って複数の水切り溝１１０…を左右方向に所定間隔毎に形成する。該水切り溝１１０…は、前記搬送コンベア７０の搬送方向上手側から搬送方向下手側に向かうほど左右幅が広くなる幅（搬送方向上手側幅ｗ１＜搬送方向下手側幅ｗ２）を形成すると共に、搬送方向上手側から搬送方向下手側に向かうほど上下長さが長くなる、即ち溝が幅広く且つ深くなる構成（搬送方向上手側深さｄ１＜搬送方向下手側深さｄ２）とする。具体的には、前記水切り溝１１０の搬送方向上手側の左右幅を１〜２ｍｍ、上下長さ（溝深さ）を２〜３ｍｍとし、搬送方向下手側の左右幅を２．５〜３ｍｍ、上下長さ（溝深さ）を４〜５ｍｍとする。
【０１５３】
そして、重量検知板７８の機体左右外側、即ち跳出板８８を備える側よりも、該跳出板８８によって弾かれた人参が回収シュータ９３に移動する機体左右内側に水切り溝１１０…を多く形成する。言い換えれば、重量検知板７８の機体左右外側に形成する水切り溝１１０…同士の左右間隔は広くし、重量検知板７８の機体左右内側に形成する水切り溝１１０…同士の左右間隔は狭くするということである。
【０１５４】
また、前記スライダ板７６の前側支持アーム７７ａに前記水切り溝１１０…の搬送方向下手側から流下する水を受けて回収シュータ９３側に排水する排水シュータ１１１を設ける。該排水シュータ１１１は、搬送方向上手側の端部を前側支持アーム７７ａへの取付位置までを重量検知板７８の下方に配置すると共に、前側支持アーム７７ａへの取付位置から搬送方向下手側の端部までを前記スライダ板７６の下方に配置し、搬送方向上手側から下手側に向かう下り傾斜姿勢とすると共に、搬送方向下手側の端部を回収シュータ９３側に屈曲させて、水が回収シュータ９３に向かって流下する構成とする。
【０１５５】
あるいは、搬送方向下手側の端部に、回収シュータ９３側に向かって下方傾斜する、終端排水シュータ１１１ａを取り付けてもよい。
さらに、排水シュータ１１１の始端側の上端位置は、搬送ベルト６８，６８で搬送される人参の重量によって下降する重量検知板７８の下端部よりも下側とし、重量検知板７８の上下動に干渉しない配置とする。
【０１５６】
なお、前記排水シュータ１１１は、水が搬送ベルト６８の巻回域内に移動しやすく、水切り溝１１０…に水が入りやすい左右内側にのみ設ける構成としてもよい。
上記構成とすると、排水シュータ１１１の左右幅を約半分にすることができるので、部品生産のための資源量を減少させることができると共に、水が少し移動すると回収シュータ９３に落下する構成となるため、排水シュータ１１１に水が残りにくく、水の除去を軽く拭き取ったり自然乾燥に任せたりできるので、メンテナンス性が向上する。
【０１５７】
上記のように構成したことにより、搬送ベルト６８の巻回域内に水が入り込んでも、水は重量検知板７８に形成した複数の水切り溝１１０…を通過して搬送方向上手側から搬送方向下手側に移動していくので、形成搬送ベルト６８が重量検知板７８に貼り付いて動かなくなり、搬送コンベア７０の駆動を乱すことを防止できるので、人参の選別作業が停止することが無く作業能率が向上すると共に、急停止時に人参が搬送ベルト６８から転げ落ちて本来選別される回収シュータ９３とは異なる回収シュータ９３に落下してしまうことを防止できるので、人参の選別精度が向上する。
【０１５８】
また、搬送ベルト６８が重量検知板７８に貼り付き、選別しなければならない人参が通過しても重量検知板７８が下降せず跳出板８８を作動させないことが防止されると共に、重量検知板７８が搬送ベルトに押し下げられ、本来の選別対象重量よりも軽い人参が通過した際に跳出板８８が作動してしまうことを防止されるため、誤検知による人参の選別が減少し、選別精度が向上する。
【０１５９】
そして、水切り溝１１０の左右幅を搬送方向下手側ほど広く構成したと共に、水切り溝１１０の深さを搬送方向下手側ほど深く構成したことにより、水切り溝１１０に入り込んだ水を搬送方向下手側に向かって流れ易くすることができるので、水切り溝１１０の上端部まで水が溜まりにくくなり、搬送ベルト６８が重量検知板７８に貼り付くことが防止され、選別精度が向上する。
【０１６０】
さらに、複数の水切り溝１１０…を左右方向に間隔を空けて形成したことにより、水の有無にかかわらず搬送ベルト６８と重量検知板７８の接触面積が小さくなり、搬送ベルト６８が重量検知板７８上を通過する際にかかる摩擦抵抗が弱くなるため、搬送ベルト６８の回転速度が減速しにくくなり、人参の選別作業能率が向上すると共に、選別精度が向上する。
【０１６１】
また、跳出板８８に弾き出された人参が移動する回収シュータ９３側、即ち機体左右内側の水切り溝１１０同士の間隔を、機体左右外側の水切り溝１１０同士の間隔よりも広く構成したことにより、人参の重量を受ける度に搬送ベルト６８と重量検知板７８が接触する側に水が溜まることを確実に防止することができるので、搬送ベルト６８が重量検知板７８に接触することが防止され、人参の誤検知が減って選別精度が向上する。
【０１６２】
そして、スライダ板７６及び重量検知板７８の下方に水切り溝１１０…から排出される水を受けて排出する排水シュータ１１１を設けたことにより、水切り溝１１０…から排出される水が選別搬送部Ｅの彼方此方に飛散することを防止できるので、水の除去にかかる作業時間が短縮されて作業者の労力が軽減されると共に、取り除きそこなった水による腐食・劣化が防止されるため、耐久性が向上する。
【０１６３】
前記排水シュータ１１１を搬送方向下手側に向けて下り傾斜させると共に、搬送方向下手側の端部を回収シュータ９３側に向けて屈曲させた構成としたことにより、排水シュータ１１１が受けた水は回収シュータ９３に向かって排出されるため、作業終了後の水の除去作業を行う箇所を減らすことができるので、メンテナンス性が向上する。
【０１６４】
また、回収シュータ９３に水が供給されることにより、回収シュータ９３に乗った人参が下方に滑りやすくなるので、回収シュータ９３上に人参が滞留することを防止でき、回収シュータ９３上で人参同士が接触して傷付くことが防止され、作物の商品価値が向上する。
【０１６５】
加えて、回収された人参に水が供給されるため、人参が時間の経過により乾燥することを抑制することができるので、人参が乾燥し過ぎて品質が劣化することが防止され、人参の商品価値が向上する。風通しのいい場所や、気温の高い場所で長時間作業する場合において、上記の効果は非常に有効である。
【０１６６】
さらに、回収シュータ９３に残った人参を作業者が手作業で回収する必要が無く、作業者の労力が軽減される。
そして、排水シュータ１１１の始端側を重量検知板７８の搬送方向下手側の端部よりも搬送方向上手側の下方に位置させたことにより、水切り溝１１０…に入り込んだ水が重量検知板７８の裏に回ってから下方に落下しても、排水シュータ１１１が水を回収することができるので、選別搬送部Ｅの彼方此方に水が飛散することが防止され、水の除去作業が容易になりメンテナンス性が向上すると共に、水による腐食・劣化が防止されて、耐久性が向上する。
【０１６７】
また、排水シュータ１１１の始端側の上端位置を、下降した状態の重量検知板７８の下端部よりも下方に配置したことにより、重量検知板７８の下降に排水シュータ１１１が干渉することを防止できるので、人参の選別が妨げられることがなく、選別精度が向上する。
【０１６８】
なお、前記排水シュータ１１１には、排水方向に沿って流水溝１１２を形成してもよく、水切り溝１１０と同じく、搬送方向下手側ほど左右幅が広くなると共に溝深さが深くなる構成とすると、排水シュータ１１１に水が残りにくくなり、作業終了後の水の除去作業に要する労力が軽減される。
【０１６９】
また、図２５で示すように、搬送ベルト６８の巻回域内に水が入り込み易く、且つ人参が通過すると搬送ベルト６８と重量検知板７８が接触する重量検知板７８の機体左右内側にのみ水切り溝１１０…を形成してもよい。
【０１７０】
上記構成では、重量検知板７８に形成する水切り溝１１０の数が減少するため、重量検知板７８の厚みが変わらない部分が多くなり、耐久性が向上する。
さらに、水切り溝１１０を重量検知板７８に形成する工数が減少するため、水切り溝１１０を形成した重量検知板７８の製造コストが低減され、コストダウンを図ることができる。
【符号の説明】
【０１７１】
２３      整列搬送フレーム
２６      選外取出口
２６ｉ    内側選外取出口
２６ｏ    外側選外取出口
３７      第１整列搬送コンベア
４６ｉ    内側整列搬送ベルト
４６ｏ    外側整列搬送ベルト
４８      第２整列搬送コンベア
５４      フィードバック手段
１１５    開度調整シャッタ
１１５ａ  下端縁
１１７    ベルトガイド
１１８    支軸
１１９    圧縮バネ
１２０Ｒ  右側のサイド搬送コンベア
１２０Ｌ  左側のサイド搬送コンベア
１２１Ｒ  右側の中央送りコンベア
１２１Ｌ  左側の中央送りコンベア
Ａ        貯留部
Ｃ        整列搬送部
Ｅ        選別搬送部
【図１】
2013049026.tif 000003
【図２】
2013049026.tif 000004
【図３】
2013049026.tif 000005
【図４】
2013049026.tif 000006
【図５】
2013049026.tif 000007
【図６】
2013049026.tif 000008
【図７】
2013049026.tif 000009
【図８】
2013049026.tif 000010
【図９】
2013049026.tif 000011
【図１０】
2013049026.tif 000012
【図１１】
2013049026.tif 000013
【図１２】
2013049026.tif 000014
【図１３】
2013049026.tif 000015
【図１４】
2013049026.tif 000016
【図１５】
2013049026.tif 000017
【図１６】
2013049026.tif 000018
【図１７】
2013049026.tif 000019
【図１８】
2013049026.tif 000020
【図１９】
2013049026.tif 000021
【図２０】
2013049026.tif 000022
【図２１】
2013049026.tif 000023
【図２２】
2013049026.tif 000024
【図２３】
2013049026.tif 000025
【図２４】
2013049026.tif 000026
【図２５】
2013049026.tif 000027
【図２６】
2013049026.tif 000028
【図２７】
2013049026.tif 000029
【図２８】
2013049026.tif 000030